(57)【要約】【課題】  単純であり信頼性が高い、計時器を用いて機能をアンロックする方法を提供する。【解決手段】  本発明は、表示要素（３）を有する表示デバイス（２）と、及び所定の動きシーケンスで動くように表示要素（３）を駆動することができる制御手段（５）とを有する計時器（１）を用いるデバイス（６）の機能をアンロックする方法に関し、検出手段（７）の前に計時器（１）を配置するステップ（１０１）と、所定の動きシーケンスで動くように表示要素（３）を駆動するように制御手段（５）を発動させるステップ（１０２）と、検出手段（７）によって所定の動きシーケンスを検出するステップ（１０４）と、検出された動きシーケンスを基準動きシーケンスと比較するステップ（１０５）と、及び検出された動きシーケンスが基準動きシーケンスと同一であれば、機能をアンロックするステップ（１０６）とを有する。【選択図】  図１
2018023102.tif 000002
【特許請求の範囲】
【請求項１】
表示要素（３）を有する表示デバイス（２）と、及び所定の動きシーケンスで動くように前記表示要素（３）を駆動することができる制御手段（５）とを有する計時器（１）を用いるデバイス（６）の機能をアンロックする方法であって、
検出手段（７）の前に前記計時器（１）を配置するステップ（１０１）と、
所定の動きシーケンスで動くように前記表示要素（３）を駆動するように前記制御手段（５）を発動させるステップ（１０２）と、
前記検出手段（７）によって前記所定の動きシーケンスを検出するステップ（１０４）と、
検出された動きシーケンスを基準動きシーケンスと比較するステップ（１０５）と、及び
検出された動きシーケンスが基準動きシーケンスと同一であれば、前記機能をアンロックするステップ（１０６）と
を有することを特徴とする方法。
【請求項２】
前記計時器（１）を初期化するステップであって、この初期化の間に、前記所定の動きシーケンスが前記計時器（１）に格納され、前記制御手段（５）を発動させることによって前記所定の動きシーケンスで動くように前記表示要素（３）が駆動される、ステップを有する
ことを特徴とする請求項１に記載の方法。
【請求項３】
前記デバイス（６）を初期化するステップであって、この初期化の間に、前記基準動きシーケンスが前記デバイス（６）に格納される、ステップを有する
ことを特徴とする請求項１又は２に記載の方法。
【請求項４】
さらに、少なくとも１つの計時器のボタンを発動させることで前記制御手段を発動させるステップを有する
ことを特徴とする請求項１〜３のいずれかに記載の方法。
【請求項５】
さらに、所定の発動シーケンスを行うように少なくとも２つの計時器のボタンを発動させることで前記制御手段を発動させるステップを有する
ことを特徴とする請求項１〜４のいずれかに記載の方法。
【請求項６】
前記動きシーケンスは、所定の持続時間の間、前記表示要素のそれぞれに対する一連の所定の位置を有する
ことを特徴とする請求項１〜５のいずれかに記載の方法。
【請求項７】
請求項１〜６のいずれかに記載のアンロックする方法を実装する計時器（１）であって、
表示要素（３）を有する表示デバイス（２）と、及び
所定の動きシーケンスで動くように前記表示要素（３）を駆動するように構成している制御手段（５）と
を有することを特徴とする計時器（１）。
【請求項８】
前記制御手段（５）を発動させることができる発動手段（４）を有する
ことを特徴とする請求項７に記載の計時器。
【請求項９】
請求項１〜６のいずれかに記載のアンロックする方法を実装するデバイス（６）であって、
動きシーケンスを検出する手段（７）と、
検出された動きシーケンスを基準動きシーケンスと比較する手段（８）と、及び
検出された動きシーケンスが基準動きシーケンスと同一であるときに機能をアンロックするように構成しているアンロックする手段（９）と
を有することを特徴とするデバイス。
【請求項１０】
前記動きシーケンスを検出する手段（７）は、カメラを有する
ことを特徴とする請求項９に記載のデバイス。
【発明の詳細な説明】
【技術分野】
【０００１】
本発明は、計時器を用いて機能をアンロックする方法に関する。
【背景技術】
【０００２】
多くのタブレット、スマートフォン及びコンピュータータイプの電子デバイスは、使用する前にアンロックしなければならない。このことは、これらのデバイスに格納される多くのアプリケーションにもいえる。
【０００３】
アンロックは、パスワードやＰＩＮ番号の入力、署名、又は指でタッチスクリーン上にアンロック用パターンを描くことによって行うことができる。
【０００４】
しかし、アンロックされるデバイスやアプリケーションが増えることに伴って、覚えておかなければならないパスワードが増えることとなった。また、入力されるパスワードや描かれるアンロック用パターンを第三者に見られることがあり、したがって、まねされることがある。
【０００５】
したがって、指紋認識のような他のアンロック技術も開発されている。しかし、この技術は完全には信頼できない。指紋を偽造することができるからである。
【発明の概要】
【発明が解決しようとする課題】
【０００６】
本発明は、従来技術よりも単純であり信頼性が高いような、デバイス、特に、電子デバイスやアプリケーション、をアンロックする技術を提案することによって、従来技術の課題を克服することを目的とする。
【課題を解決するための手段】
【０００７】
これを達成するために、本発明の第１の態様にしたがって、表示要素を有する表示デバイスと、及び所定の動きシーケンスで動くように前記表示要素を駆動することができる制御手段とを有する計時器を用いるデバイスの機能をアンロックする方法を提案する。この方法は、検出手段の前に前記計時器を配置するステップと、所定の動きシーケンスで動くように前記表示要素を駆動するように前記制御手段を発動させるステップと、前記検出手段によって前記所定の動きシーケンスを検出するステップと、検出された動きシーケンスを基準動きシーケンスと比較するステップと、及び検出された動きシーケンスが基準動きシーケンスと同一であれば、前記機能をアンロックするステップとを有する。
【０００８】
したがって、この方法によって、計時器の表示要素を用いて所定の動きシーケンスを発生させることができる。この動きシーケンスは、アンロックされるデバイスによって認識され、このデバイスをアンロックする。
【０００９】
本発明の第１の態様に係る方法は、さらに、以下の特徴の１つ又は複数を、個々に又はすべての技術的に可能な組み合わせで、有することができる。
【００１０】
好ましいことに、当該方法は、前記計時器を初期化するステップであって、この初期化の間に、前記所定の動きシーケンスが前記計時器に格納され、前記制御手段を発動させることによって前記所定の動きシーケンスで動くように前記表示要素が駆動される、ステップを有する。このように、ユーザーは、計時器によって行われる動きシーケンスを選ぶことができる。しかし、すべてのモデルが同じ動きシーケンスを有することを回避するために、計時器が製造されるときに、前記動きシーケンスを最初に定めることができる。
【００１１】
好ましいことに、当該方法は、さらに、前記デバイスを初期化するステップであって、この初期化の間に、前記基準動きシーケンスが前記デバイスに格納される、ステップを有する。このステップによって、機能をアンロックするための動きシーケンスをユーザーが選ぶことが可能になる。
【００１２】
異なる実施形態によると、以下の特徴を有する。
−  当該方法は、さらに、少なくとも１つの計時器のボタンを発動させることで前記制御手段を発動させるステップを有する。これによって、ユーザーが動きシーケンスを容易に開始することが可能になる。
−  当該方法は、さらに、所定の発動シーケンスを行うように少なくとも２つの計時器のボタンを発動させることで前記制御手段を発動させるステップを有する。これによって、アンロックする方法をセキュアにすることが可能になる。なぜなら、このときに、機能をアンロックする動きシーケンスを開始させるためにどの発動シーケンスを行うべきかユーザーは知っていなければならないからである。
【００１３】
計時器のボタンを押し下げ、引き、回転させることなどによって、計時器のボタンを発動させることができる。
【００１４】
好ましいことに、各表示要素に対して、前記動きシーケンスは、所定の持続時間の間、前記表示要素のそれぞれに対する一連の所定の位置を有する。
【００１５】
本発明の第２の態様は、本発明の第１の態様に係るアンロックする方法を実装する計時器に関し、この計時器は、表示要素を有する表示デバイスと、及び所定の動きシーケンスで動くように前記表示要素を駆動するように構成している制御手段とを有する。
【００１６】
計時器には、さらに、以下の特徴の１つ又は複数を、個々に又はすべての技術的に可能な組み合わせで、有することができる。
【００１７】
様々な実施形態によると、
前記表示要素は、以下のものであることができる。
−  時間を示す針
−  カウンターの針
−  スクリーン
−  動きの要素
【００１８】
好ましいことに、計時器は、さらに、制御手段を発動させることができる発動手段を有する。
【００１９】
この発動手段は、以下のものであることができる。
−  ボタン
−  押しボタン
−  竜頭
【００２０】
本発明の第３の態様は、本発明の第１の態様に係るアンロックする方法を実装するデバイスに関し、
−  動きシーケンスを検出する手段と、
−  検出された動きシーケンスを基準動きシーケンスと比較する手段と、及び
−  検出された動きシーケンスが基準動きシーケンスと同一であるときに機能をアンロックするように構成しているアンロックする手段と
を有する。
【００２１】
前記デバイスは、好ましくは、電子デバイスである。
【００２２】
前記機能は、以下のものであることができる。
−  デバイスに格納されたアプリケーション
−  デバイスの開始
−  データ伝送
【００２３】
前記動きシーケンス検出手段は、好ましくは、カメラを有する。
【００２４】
前記比較手段は、好ましくは、プロセッサーを有する。
【００２５】
前記アンロックする手段は、好ましくは、プロセッサーを有する。
【００２６】
図面を参照しながら例として与えられる好ましい実施形態（これに限定されない）についての下記の詳細な説明を読むことによって、本発明の他の特徴及び利点を明確に理解できるようになるであろう。
【図面の簡単な説明】
【００２７】
【図１】本発明の１つの実施形態に係る計時器を概略的に示している。
【図２】本発明の１つの実施形態に係るアンロックされるデバイスを概略的に示している。
【図３】本発明の１つの実施形態に係る方法のいくつかのステップを概略的に示している。
【図４】図４ａ〜４ｄは、図３の方法において用いられる動きシーケンス中に表示要素がなることができる連続的な位置を示している。
【発明を実施するための形態】
【００２８】
以下、図１〜４ｄを参照しながら、本発明の１つの実施形態に係るアンロックする方法について説明する。
【００２９】
この方法は、計時器１を用いる。この計時器は、腕時計であることができる。計時器１は、表示デバイス２を有する。この表示デバイスは、表盤であることができる。表示デバイス２は、表示要素３を有する。これらの表示要素３は、以下のものであることができる。
−  時間表示用の針
−  デジタル風防
−  スクリーン
−  カウンターの針又は風防
−  活性化することができる装飾要素
などである。
【００３０】
計時器は、さらに、ユーザーが発動させることができる発動手段４を有する。この発動手段４は、ボタン、押しボタン、竜頭などを含むことができる。計時器１は、さらに、腕時計の表示要素３を発動手段４が発動したときに、これらの表示要素３を所定の動きシーケンスで動かすように構成している制御手段５を有する。
【００３１】
したがって、例えば、図１の計時器は、発動手段４として２つの押しボタンＰ１及びＰ２を有する。これらの２つの押しボタンＰ１及びＰ２が所定の発動シーケンス（例、Ｐ１、Ｐ２、Ｐ２、Ｐ１）で押されると、表示要素３が所定の動きシーケンスで動かされる。この所定の動きシーケンスは、例えば、図４ａ〜４ｄに示したものであることができる。この場合に、腕時計の表示要素は、図４ａ〜４ｄに示した位置に順次的になり、その各位置は、所定の持続時間維持される。
【００３２】
前記所定の動きシーケンスは、好ましくは、各腕時計が自身の動きシーケンスを有するように出荷工場で設定される。しかし、動きシーケンスを開始できるようにすることを可能にする発動シーケンスのように、動きシーケンスをユーザーによって調整可能とすることができる。
【００３３】
この計時器を、図２に示すようなデバイス６の機能をアンロックするために用いることができる。
【００３４】
このデバイス６は、例えば、以下のものであることができる。
−  スマートフォンやコンピューターのような電子デバイス
−  ホームオートメーションデバイス、例えば、ドアをスライドさせるタイプや巻上げ式ブラインドタイプのもの
−  金庫
などである。
【００３５】
本方法によって、デバイスの起動機能、デバイスに格納されたアプリケーション、デバイスを開いたり閉じたりすること、デバイスへのデータ伝送などをアンロックすることができる。
【００３６】
これを達成するために、デバイス６は、動きシーケンスを検出する手段７を有する。この検出手段７は、好ましくは、動きシーケンスを撮影することができるカメラを有する。デバイス６は、好ましくは、さらに、検出された動きシーケンスを格納することができるメモリーを有する。デバイス６は、さらに、検出された動きシーケンスを基準動きシーケンスと比較することができる比較手段８を有する。この比較手段８は、好ましくは、プロセッサーを有する。デバイス６は、さらに、検出された動きシーケンスが基準動きシーケンスと同一であるときに機能をアンロックするように構成している機能アンロック手段９を有する。このアンロック手段は、好ましくは、プロセッサーを有する。
【００３７】
基準動きシーケンスは、好ましくは、初期化ステップにおいてユーザーによってデバイス内に格納される。しかし、基準動きシーケンスは、製造時にデバイスにあらかじめ格納することもできる。
【００３８】
以下、図３を参照しながら本方法の各ステップを説明する。
【００３９】
まず、ステップ１０１で、デバイス６の検出手段７の前に計時器の表示デバイス２を配置する。
【００４０】
そして、ステップ１０２で、所定の発動シーケンスで発動手段４を発動させる。これを達成するために、押しボタンＰ１、Ｐ２を所定の組み合わせ（例、Ｐ１  Ｐ２  Ｐ２  Ｐ１）で押す。
【００４１】
そして、ステップ１０３で、制御手段５が所定の動きシーケンスを開始させる。
【００４２】
そして、ステップ１０４で、検出手段７が、表示要素によって実行された動きシーケンスを検出する。
【００４３】
そして、ステップ１０５で、比較手段８が、検出された動きシーケンスを基準動きシーケンスと比較する。
【００４４】
検出された動きシーケンスが基準動きシーケンスと同一であれば、本方法は、機能をアンロックするステップ１０６を行う。
【００４５】
検出された動きシーケンスが基準動きシーケンスと同一でなければ、機能をアンロックしない。
【００４６】
このように、本方法によって、ユーザーが複雑な組み合わせを思い出さなくてもデバイスの機能をアンロックすることが可能になる。また、本方法はセキュアである。なぜなら、腕時計の押しボタンにおける組み合わせや動きシーケンスを第三者に見られても、その第三者は腕時計を所持しておらず、見た動きシーケンスをまねすることができないからである。
【００４７】
当然、本発明は、図面を参照しながら説明した実施形態に制限されず、本発明の範囲を逸脱せずに様々な変形態様を想到することができる。
【符号の説明】
【００４８】
１  計時器
２  表示デバイス
３  表示要素
４  発動手段
５  制御手段
６  デバイス
７  検出手段
８  比較手段
９  アンロック手段
【図１】
2018023102.tif 000003
【図２】
2018023102.tif 000004
【図３】
2018023102.tif 000005
【図４】
2018023102.tif 000006